(57)【特許請求の範囲】
【請求項１】
レバー部材を回動可能に備えたハンドルが設置されており、前記レバー部材の回動位置に応じた打ち出し強度で遊技球を打ち出すとともに、前記ハンドルに、前記レバー部材を任意の回動位置で固定するための固定部材が設けられたパチンコ機であって、
前記ハンドルが、ハンドル本体の前方に、前記レバー部材が前記ハンドル本体に対して回動可能に取り付けられているとともに、前記レバー部材の更に前方を覆うように外カバー部材が前記ハンドル本体に固着されてなる一方、
前記固定部材が、前記レバー部材と前記外カバー部材との隙間よりも肉厚な固定部を有する合成樹脂製部材であって、前記レバー部材を固定しない解除位置にあり、前記固定部を前記隙間へ押し込み操作することにより、前記レバー部材をその回動軸方向から押圧し、自身と前記レバー部材との間で生じる摩擦力により前記レバー部材を固定することを特徴とするパチンコ機。
【発明の詳細な説明】
【技術分野】
【０００１】
本発明は、遊技球を打ち出すためのハンドルを回動操作可能に設けてなるパチンコ機に関するものである。
【背景技術】
【０００２】
一般的に、パチンコ機には遊技球を打ち出すための発射装置と、当該発射装置を動作させるためのハンドルとが備えられている。ハンドルは、パチンコ機から前方へ突出して設けられており、遊技者がハンドルのレバー部材を回動操作することによって、発射装置が動作し、遊技球が打ち出されるようになっている。また、レバー部材の回動量を調整することで、遊技球の打ち出し強度を調整可能となっている。さらに、ハンドル内には、レバー部材を初期回動位置へ復帰させる方向に付勢する戻りバネ等の復帰手段が設けられており、遊技者がレバー部材から手を離すと、レバー部材を初期回動位置へ自動復帰させるようになっている。
【０００３】
ここで、遊技者が長時間遊技を継続する際には、手が疲れる等してレバー部材から手を離すことが考えられる。しかしながら、上記パチンコ機では、手を離すことでレバー部材が初期回動位置まで自動復帰してしまうため、遊技を再開する際に、再びレバー部材を回動操作して好適な回動位置を探らなければならず、無駄球が多く発生してしまい、遊技者に不快感を与えかねない。そのため、たとえ手を離す等したとしてもレバー部材を所定の回動位置で維持可能としたパチンコ機も考案されている。
【０００４】
たとえば、特許文献１及び２に記載のパチンコ機では、ハンドルにボタンを設け、レバー部材が所定の回動位置にある際にボタンを押し込み操作すると、レバー部材が当該回動位置にて維持されるように構成している。また、特許文献３に記載のパチンコ機では、回動操作されるレバー部材とハンドルの前端に固着されているカバー部材との間にリング状部材を介在させ、当該リング状部材の摩擦力によってレバー部材を所定の回動位置にて維持するように構成している。
【先行技術文献】
【特許文献】
【０００５】
【特許文献１】実公昭６０−３１７５３号公報
【特許文献２】実公平７−４２４５９号公報
【特許文献３】特開２００４−３３７４３５号公報
【発明の概要】
【発明が解決しようとする課題】
【０００６】
しかしながら、特許文献１及び２に記載の構成では、ハンドル内部に自動復帰防止のための機構（たとえば、スイッチの係止部等）を設けなければならず、ハンドルの構造が複雑になるという問題がある。また、特許文献３に記載の構成では、レバー部材を回動操作する場合にも常に摩擦力が作用するため、レバー部材とリング状部材との当接面が傷つきやすいという問題がある。
【０００７】
そこで、本発明は、上記問題に鑑みなされたものであって、ハンドルの構造がそれほど複雑でなく、且つ、ハンドルや固定部材が傷ついたりすることもないパチンコ機を提供しようとするものである。
【課題を解決するための手段】
【０００８】
上記目的を達成するために、本発明は、レバー部材を回動可能に備えたハンドルが設置されており、前記レバー部材の回動位置に応じた打ち出し強度で遊技球を打ち出すとともに、前記ハンドルに、前記レバー部材を任意の回動位置で固定するための固定部材が設けられたパチンコ機であって、前記ハンドルが、ハンドル本体の前方に、前記レバー部材が前記ハンドル本体に対して回動可能に取り付けられているとともに、前記レバー部材の更に前方を覆うように外カバー部材が前記ハンドル本体に固着されてなる一方、前記固定部材が、前記レバー部材と前記外カバー部材との隙間よりも肉厚な固定部を有する合成樹脂製部材であって、前記レバー部材を固定しない解除位置にあり、前記固定部を前記隙間へ押し込み操作することにより、前記レバー部材をその回動軸方向から押圧し、自身と前記レバー部材との間で生じる摩擦力により前記レバー部材を固定することを特徴とする。
【発明の効果】
【０００９】
本発明によれば、固定部材が、レバー部材と外カバー部材との隙間よりも肉厚な固定部を有する合成樹脂製部材であって、レバー部材を固定しない解除位置にあり、固定部を隙間へ押し込み操作することにより、レバー部材をその回動軸方向から押圧し、自身とレバー部材との間で生じる摩擦力によりレバー部材を固定する。したがって、固定部材によりレバー部材を固定することで、手が疲れたり、席を外したりしたとしても、遊技を再開する際に同じ打ち出し強度で遊技球を打ち出すことができ、遊技の再開時に無駄球を減らすことができ、遊技者に不快感を抱かせることがない。また、摩擦力がかかった状態のままレバー部材を回動させる等するわけではなく、レバー部材や固定部材の摩耗や損傷を防止することができる。さらに、固定部材をレバー部材に直接押圧させてレバー部材を固定する構成を採用しているため、ハンドル内部に複雑な固定機構を設けずとも構成することができ、レバー部材の固定／解除に係る構造を簡易な構造で実現することができる。
【図面の簡単な説明】
【００１０】
【図１】パチンコ機を前面側から示した説明図である。
【図２】パチンコ機を後面側から示した説明図である。
【図３】ハンドルの外観を示した斜視説明図である。
【図４】ハンドルを下方側から示した説明図である。
【図５】図４のＡ−Ａ線に沿った部分断面説明図である。
【図６】レバー部材を固定した状態を示した部分断面説明図である。
【図７】第１変更例となるハンドルの外観を示した斜視説明図である。
【図８】第１変更例のハンドルの軸方向への断面の一部を示した説明図である。
【図９】レバー部材を固定した状態を示した第１変更例のハンドルの軸方向への断面の一部を示した説明図である。
【図１０】第２変更例となるハンドルの外観を示した斜視説明図である。
【図１１】第２変更例のハンドルの軸方向への断面の一部を示した説明図である。
【図１２】レバー部材を固定した状態を示した第２変更例のハンドルの軸方向への断面の一部を示した説明図である。
【図１３】第３変更例となるハンドルの外観を示した斜視説明図である。
【図１４】第３変更例のハンドルを前方から示した説明図である。
【図１５】外カバー部材を取り外した状態を示した斜視説明図である。
【図１６】図１４におけるＡ−Ａ線での断面の一部を示した説明図である。
【図１７】図１４におけるＢ−Ｂ線での断面の一部を示した説明図である。
【図１８】レバー部材を固定した状態を示した第３変更例のハンドルの断面の一部を示した説明図である。
【図１９】第４変更例となるハンドルの外観を示した斜視説明図である。
【図２０】第４変更例のハンドルの軸方向への断面の一部を示した説明図である。
【図２１】レバー部材を固定した状態を示した第４変更例のハンドルの軸方向への断面の一部を示した説明図である。
【発明を実施するための形態】
【００１１】
以下、本発明の一実施形態となるパチンコ機について、図面にもとづき詳細に説明する。
【００１２】
＜実施例＞
まず、本発明の一実施例となるパチンコ機１全体の構成について説明する。
図１は、パチンコ機１を前面側から示した説明図であり、図２は、パチンコ機１を後面側から示した説明図である。
パチンコ機１は、遊技盤２の前面に形成された遊技領域２ａ内へ遊技球を打ち込み、遊技領域２ａ内を流下させて遊技するものであって、遊技盤２は、支持体として機能する機枠３の前面上部に、金属製のフレーム部材であるミドル枠５を介して設置されている。また、遊技盤２の前方には、ガラス扉を嵌め込み設置してなる前扉４が、左端縁を軸として片開き可能に機枠３に蝶着されており、該前扉４によって閉塞される遊技盤２の前方空間が遊技領域２ａとされている。
【００１３】
遊技領域２ａは、遊技盤２の前面に円弧状に配設された外レール及び内レール（図示せず）等によって囲まれており、両レール間が遊技球を遊技領域２ａ内へ打ち込むための発射通路とされている。また、遊技領域２ａの略中央には、「０」〜「９」の数字や絵柄等からなる「図柄」を表示するための図柄表示部６が設けられている。さらに、遊技領域２ａには、図示しない多数の遊技釘、遊技球が通過可能なゲート部材、一対の爪片を開閉動作可能に備えたチューリップ式電動役物、開閉可能な扉部材を有する大入賞装置、風車等が設置されている。
【００１４】
また、機枠３の前面側であって上記遊技盤２の下方には、遊技球を発射装置１０へ供給するための供給皿７、及び供給皿７から溢れた遊技球を貯留するための貯留皿８が機枠３に対して夫々片開き可能に取り付けられている。さらに、貯留皿８の右側には、発射装置１０を作動させるためのハンドル９が回動操作可能に設置されている。
【００１５】
一方、機枠３の後面側には、供給皿５へ貸球や賞品球として払い出される遊技球を貯留するための貯留タンク１１、当該貯留タンク１１と連結された払い出し装置、図柄表示部６に「図柄」を表示させるための液晶表示装置（図示せず）、払い出し装置１２や液晶表示装置等の動作を統合的に制御するサブ統合基板を内蔵したサブ制御装置（図示せず）が設置されているとともに、遊技に係る制御（たとえば、所謂「大当たり抽選」等）を実行するためのメイン制御基板２１を内蔵してなる主制御装置２０が設置されている。
【００１６】
以上のようなパチンコ機１では、遊技者によってハンドル９が回動操作されると、発射装置１０が作動して遊技球が遊技領域２ａ内へ打ち込まれる。そして、遊技領域２ａ内を流下する遊技球がチューリップ式電動役物へ入賞すると、メイン制御基板２１にて「大当たり抽選」を行い、所謂「大当たり」である場合には、図柄表示部６に「図柄」を所定態様（たとえば、「７、７、７」等）で表示させた後、大入賞装置の扉部材を所定回数にわたって断続的に開成させるといった所謂「大当たり状態」を生起させる。
【００１７】
次に、本発明の要部となるハンドル９について、図３〜図５にもとづき説明する。
図３は、ハンドル９の外観を示した斜視説明図であり、図４は、ハンドル９を下方側から示した説明図である。また、図５は、図４のＡ−Ａ線に沿った部分断面説明図である。
ハンドル９は、前後方向へ長い筒状に形成された本体３１、本体３１の前方に取り付けられ、本体３１に対して回動操作可能とされたレバー部材３２、レバー部材３２の前方に取り付けられる外カバー部材３３、及びレバー部材３２を所定の回動位置で維持するための固定部材３４を備えてなり、本体３１の後端をパチンコ機１の取付孔１３（図２に示す）へ差し込み、パチンコ機１から前方へ突出するような姿勢で設置される。
【００１８】
本体３１は、一対のケース部材を組み付けてなる筒状体であって、その内部空間の略中心位置には、レバー部材３２の回動量を検知するためのボリューム部材３５が設置されている。該ボリューム部材３５は、図示しないケーブル等により発射装置１０と接続されており、ボリューム部材３５が検知したレバー部材３２の回動量に応じて、発射装置１０では遊技球の打ち出し強度を調整するようになっている。また、本体３１の先端部の外周面には、固定部材３４を取り付けるためのネジ部３６が設けられているとともに、固定部材３４の必要以上のねじ込みを防止するためのストッパ段部３７が形成されている。尚、１６は、遊技球の打ち出しを停止するためのストップボタンである。
【００１９】
さらに、本体３１の前端の開口は、凹凸を有する円板状の内カバー部材３８にて被覆されている。当該内カバー部材３８の略中央には、軸孔３９が開設されており、後述するレバー部材３２の軸部４５等が挿通可能となっている。また、軸孔３９の周囲には、レバー部材３２を初期回動位置へ付勢するための戻りバネ１７を収容可能な収容凹部４０が形成されている。さらに、内カバー部材３８の前面には、外カバー部材３３を位置決めするための位置決め凹部４１が設けられているとともに、当該位置決め凹部４１内には、外カバー部材３３を固着するためのボルトを挿通可能な固着孔４２が穿設されている。
【００２０】
一方、固定部材３４は、上記本体３１先端のネジ部３６に外装されるリング状部材であって、時計回り／反時計回りに回転させることで、レバー部材３２に対して前後方向へ進退するようになっている。また、固定部材３４には、径方向へ突出する突起４３が設けられており、当該突起４３に指等を押し当てることにより、固定部材３４を容易に回転操作できるようにしている。尚、固定部材３４は、通常、レバー部材３２を押圧して固定しない後退位置（解除位置）にある。また、固定部材３４は、レバー部材３２の遊技球の打ち出し強度が強くなる側への回動方向と同じ方向へ回転させると前進し、逆方向へ回転させると後退する。
【００２１】
また、内カバー部材３８の前方には、遊技球の打ち出し強度を調整するためのレバー部材３２が取り付けられている。レバー部材３２は、略中心に設けられた軸部４５と、軸部４５の周囲に外方へ拡がるように延設されたフランジ部４６と、フランジ部４６の外周縁から後方へ垂設された把持部４７とを一体的に形成してなる。軸部４５は、中心軸に沿って前後へ夫々突出して設けられており、後方へ突出する側は、軸孔３９に挿通され、連結部材４４を介してボリューム部材３５に連結されている。一方、軸部４５の前方へ突出する側は、後述する外カバー部材３３の軸受部５２内へ嵌入されることになり、レバー部材３２を滑らかに回動させるための樹脂製リング部材４８が外装される。また、フランジ部４６には、スリット４９が円弧状に形成されている。該スリット４９には、外カバー部材３３の固着突起５３が挿通されており、レバー部材３２を回動操作した際に、固着突起５３がスリット４９内を相対的に移動してレバー部材３２の回動を阻害しないようになっている。加えて、把持部４７は、遊技者が把持する部分であって、その周面は、遊技者が把持しやすいように波状に形成されている。
【００２２】
さらに、レバー部材３２の前方には、板状の基部５０と、基部５０に固着されたドーム状の装飾部５１とからなる外カバー部材３３が取り付けられている。基部５０の略中央には、樹脂製リング部材４８が外装された軸部４５を嵌装可能な軸受部５２が設けられている。また、軸受部５２よりも稍外方には、後方へ突出する固着突起５３が設けられており、スリット４９を介して内カバー部材３８の位置決め凹部４１内に位置させ、ボルトにより締結することで、内カバー部材３８に固着されるようになっている。
【００２３】
ここで、以上のように構成されるハンドル９の操作について説明する。
遊技者は、パチンコ機１で遊技するにあたり、ハンドル９を把持しレバー部材３２を回動操作して遊技球の打ち出しを開始する。また、打ち出し開始後は、遊技球の遊技領域２ａ内への打ち出し位置が所望の位置となるように、レバー部材３２の回動量を調整して、遊技球の打ち出し強度を調整する。そして、遊技球が所望の位置へ打ち出されるようになると、図６に示す如く、固定部材３４の前面がレバー部材３２の把持部４７の後面を押圧するまで、固定部材３４をレバー部材３２の遊技球の打ち出し強度が強くなる側への回動方向と同じ方向へ回転させて前進させる。この固定部材３４の操作に係り、打ち出し当初にレバー部材３２を回動する際、固定部材３４も同時に回転させれば、打ち出し強度を強くしながらレバー部材３２を徐々に固定することができる。したがって、最終的にレバー部材３２を固定する際における固定部材３４の回転量が少なくてすむため、レバー部材３２の回動位置がずれにくくなる。このようにして固定部材３４を前進させると、固定部材３４の前面とレバー部材３２の後面との間に生じる摩擦により、戻りバネ１７の付勢力に抗してレバー部材３２が当該回動位置にて固定される。そのため、たとえレバー部材３２から手を離したとしても初期回動位置へ自動復帰したりせず、再びレバー部材３２を把持するだけで、遊技球の打ち出し強度を維持したまま、遊技を再開することができる。
【００２４】
また、再びレバー部材３２の回動位置を微調整したい場合や、遊技の終了に伴いレバー部材３２を初期回動位置へ復帰させたい場合には、固定部材３４を逆方向へ回転させて後退させればよい。すると、固定部材３４による固定が解除となり、レバー部材３２を自由に回動させることが可能となり、レバー部材３２の回動位置の再調整が可能となるし、レバー部材３２から手を離せば戻りバネ１７の付勢力によって初期回動位置へ自動復帰させることができる。尚、固定部材３４を回転操作するにあたっては、固定部材３４の突起４３に親指等を押し当てるだけで、レバー部材３２を把持している側の手のみで容易に回転操作することができる。また、遊技者が遊技を開始する際、初期回動位置側へ固定部材３４及びレバー部材３２を回動しようとすれば、たとえ前の遊技者によってレバー部材３２が固定されていたままだったとしても、固定部材３４が固定解除方向へ回転されることになり、レバー部材３２をスムーズに初期回動位置へ復帰させることができる。
【００２５】
以上のようなハンドル９を有するパチンコ機１によれば、ハンドル９にレバー部材３２を所望の回動位置にて維持するための固定部材３４が回転操作可能に設けられているため、遊技球が所望の位置へ打ち出されるようにレバー部材３２の回動量を調整した後、固定部材３４を回転操作すれば、当該回動位置にてレバー部材３２を維持することができる。そのため、手が疲れたり、席を外したりしたとしても、レバー部材３２が初期回動位置へ自動復帰することがなく、遊技を再開する際に同じ打ち出し強度で遊技球を打ち出すことができる。したがって、遊技の再開時に無駄球を減らすことができ、遊技者に不快感を抱かせることがない。
【００２６】
また、レバー部材３２の後面を押圧するように固定部材３４を回転操作するだけで、レバー部材３２を固定することができる一方、固定部材３４がレバー部材３２から離れるまで逆方向へ回転操作すれば、レバー部材３２をフリーとすることができる。したがって、レバー部材３２の固定／解除に係る操作が簡易であるし、ハンドル９内部に複雑な機構等を設ける必要がなく、レバー部材３２の固定／解除に係る構造も簡易な構造とすることができる。
さらに、レバー部材３２を固定する際の固定部材３４の回転方向を、レバー部材３２の遊技球の打ち出し強度が強くなる側への回動方向と同じ方向としているため、打ち出し当初にレバー部材３２を回動する際、固定部材３４も同時に回転させれば、打ち出し強度を強くしながらレバー部材３２を徐々に固定することができる。したがって、最終的にレバー部材３２を固定する際における固定部材３４の回転量が少なくてすむため、レバー部材３２の回動位置がずれにくくなる。一方、レバー部材３２を解除する際の固定部材３４の回転方向は上記方向と逆方向、すなわち初期回動位置側への回動方向となるため、遊技者が遊技を開始する際、初期回動位置側へ固定部材３４及びレバー部材３２を回動しようとすれば、たとえ前の遊技者によってレバー部材３２が固定されていたままだったとしても、固定部材３４が固定解除方向へ回転されることになり、レバー部材３２をスムーズに初期回動位置へ復帰させることができる。
【００２７】
さらに、本実施例のハンドル９では、摩擦力がかかった状態のままレバー部材３２を回動させるわけではないため、レバー部材３２や固定部材３４の摩耗や損傷を防止することができる。
加えて、固定部材３４に突起４３を設けているため、当該突起４３に親指等を押し当てる等により、レバー部材３２を把持している側の手のみで固定部材３４を容易に回転操作することができる。したがって、遊技者は、レバー部材３２の固定／解除に係る作業を非常に容易に行うことができる。
【００２８】
＜変更例１＞
次に、ハンドルの変更例について、図面にもとづき順に説明する。
尚、変更例として記載するハンドルが装着されるパチンコ機そのものの構成（たとえば、遊技盤２や供給皿５等の構成や、制御装置２０や遊技に係る制御の構成等）は実施例１に記載のものと同様である。また、実施例に記載したものと同じ構成要素については、同じ符号を付して説明する。
【００２９】
図７は、第１変更例となるハンドル９Ａの外観を示した斜視説明図であり、図８は、ハンドル９Ａの軸方向への断面の一部を示した説明図である。
ハンドル９Ａは、実施例に記載のハンドル９同様に、前後方向へ長い筒状に形成された本体３１、本体３１の前方に取り付けられ、本体３１に対して回動操作可能とされたレバー部材３２、レバー部材３２の前方に取り付けられる外カバー部材３３、及びレバー部材３２を所定の回動位置で維持するための固定部材３４Ａを備えてなるもので、ハンドル９とは固定部材３４Ａの設置位置が異なっている。尚、本体３１の内部には、実施例同様、レバー部材３２の回動量を検知するためのボリューム部材３５が設置されている。また、本体３１の前端の開口は、内カバー部材３８によって被覆されており、当該内カバー３８の前方にレバー部材３２が取り付けられている。
【００３０】
レバー部材３２は、略中心に設けられ、連結部材４４を介してボリューム部材３５に連結された軸部４５と、軸部４５の周囲に外方へ拡がるように延設されたフランジ部４６と、フランジ部４６の外周縁に垂設された把持部４７とを一体的に形成してなる。フランジ部４６には、実施例同様にスリット４９が円弧状に形成されており、外カバー部材３３の固着突起（図示せず）が挿通可能となっている。
【００３１】
さらに、レバー部材３２の前方には、傘状の基部５０と、基部５０に固着されたドーム状の装飾部５１とからなる外カバー部材３３が取り付けられている。基部５０の略中央には、樹脂製リング部材４８が外装された軸部４５に嵌装可能な軸受部５２が設けられている。また、基部５０の周縁部には、後方へ立設された被覆部５４が形成されている。加えて、軸受部５２と被覆部５４との間には、外周面にネジ部３６が設けられた支持壁６０が後方へ突出して周設されており、当該支持壁６０に固定部材３４Ａが取り付けられている。そして、後述するように固定部材３４Ａを回転操作し、フランジ部４６の外周際となる面に固定部材３４Ａを押圧させることで、固定部材３４Ａとレバー部材３２との間に摩擦を生じさせ、レバー部材３２を固定するようになっている。尚、軸受部５２と被覆部５４との間には、実施例同様に固着突起が後方へ突設されており、外カバー部材３３は、内カバー部材３８に固着されることになる。
【００３２】
一方、固定部材３４Ａは、上述したように支持壁６０のネジ部３６に外装されるリング状部材であって、時計回り／反時計回りに回転させることで、レバー部材３２に対して前後方向へ進退するようになっている。また、固定部材３４Ａにも、径方向へ突出する突起４３が設けられており、当該突起４３に指等を押し当てることにより、固定部材３４Ａを容易に回転操作できるようにしている。さらに、固定部材３４Ａは、前方側が下方側よりも一回り小径となる二段構造となっている。そして、固定部材３４Ａは、前方側の小径部が外カバー部材３３の被覆部５４内に入り込んだ状態で取り付けられており、固定部材３４Ａを固定解除方向へ操作した際、小径部と大径部との間に形成された段部６１が外カバー部材３３の後端（被覆部５４の後端）に当接し、固定部材３４Ａが抜け止めされるようになっている。尚、固定部材３４Ａは、通常、レバー部材３２を押圧して固定しない前進位置（解除位置）にある。また、固定部材３４Ａは、レバー部材３２の遊技球の打ち出し強度が強くなる側への回動方向と同じ方向へ回転させると後退し、逆方向へ回転させると前進する。
【００３３】
ここで、以上のように構成されるハンドル９Ａの操作について説明する。
遊技者は、パチンコ機１で遊技するにあたり、レバー部材３２を回動操作して遊技球の打ち出しを開始するとともに、遊技球の遊技領域２ａ内への打ち出し位置が所望の位置となるように、レバー部材３２の回動量を調整して、遊技球の打ち出し強度を調整する。そして、遊技球が所望の位置へ打ち出されるようになると、図９に示す如く、固定部材３４Ａの後面がレバー部材３２の前面を押圧するまで、固定部材３４Ａをレバー部材３２の遊技球の打ち出し強度が強くなる側への回動方向と同じ方向へ回転させて後退させる。この固定部材３４Ａの操作に係り、打ち出し当初にレバー部材３２を回動する際、固定部材３４Ａも同時に回転させれば、打ち出し強度を強くしながらレバー部材３２を徐々に固定することができる。したがって、最終的にレバー部材３２を固定する際における固定部材３４Ａの回転量が少なくてすむため、レバー部材３２の回動位置がずれにくくなる。このようにして固定部材３４を後退させると、固定部材３４Ａの後面とレバー部材３２の前面との間に生じる摩擦により、戻りバネ１７の付勢力に抗してレバー部材３２が当該回動位置にて固定される。そのため、実施例に記載のハンドル９同様、たとえレバー部材３２から手を離したとしても初期回動位置へ自動復帰したりせず、再びレバー部材３２を把持するだけで、遊技球の打ち出し強度を維持したまま、遊技を再開することができる。
【００３４】
また、再びレバー部材３２の回動位置を微調整したい場合や、遊技の終了に伴いレバー部材３２を初期回動位置へ復帰させたい場合には、固定部材３４Ａを逆方向へ回転させて段部６１が外カバー部材３３の後端に当接するまで前進させればよい。すると、固定部材３４Ａによる固定が解除となり、レバー部材３２を自由に回動させることが可能となるため、レバー部材３２の再調整が可能となるし、レバー部材３２から手を離せば戻りバネ１７の付勢力によって初期回動位置へ自動復帰させることができる。尚、固定部材３４Ａも、突起４３に親指等を押し当てるだけで、レバー部材３２を把持している側の手のみで容易に回転操作することができる。また、遊技者が遊技を開始する際、初期回動位置側へ固定部材３４Ａ及びレバー部材３２を回動しようとすれば、たとえ前の遊技者によってレバー部材３２が固定されていたままだったとしても、固定部材３４Ａが固定解除方向へ回転されることになり、レバー部材３２をスムーズに初期回動位置へ復帰させることができる。
【００３５】
以上のようなハンドル９Ａを有するパチンコ機１においても、レバー部材３２を所望の回動位置にて維持するための固定部材３４Ａを回転操作可能に設けているため、遊技球が所望の位置へ打ち出されるようにレバー部材３２の回動量を調整した後、固定部材３４Ａを回転操作すれば、当該回動位置にてレバー部材３２を維持することができる。したがって、遊技の再開時に無駄球を減らすことができ、遊技者に不快感を抱かせることがない。
また、レバー部材３２の前面を押圧するように固定部材３４Ａを回転操作するだけで、レバー部材３２を固定することができる一方、固定部材３４Ａがレバー部材３２から離れるまで逆方向へ回転操作すれば、レバー部材３２をフリーとすることができる。したがって、レバー部材３２の固定／解除に係る操作が簡易であるし、ハンドル９Ａ内部に複雑な機構等を設ける必要がなく、レバー部材３２の固定／解除に係る構造も簡易な構造とすることができる。
【００３６】
さらに、レバー部材３２を固定する際の固定部材３４Ａの回転方向を、レバー部材３２の遊技球の打ち出し強度が強くなる側への回動方向と同じ方向としているため、打ち出し当初にレバー部材３２を回動する際、固定部材３４Ａも同時に回転させれば、打ち出し強度を強くしながらレバー部材３２を徐々に固定することができる。したがって、最終的にレバー部材３２を固定する際における固定部材３４Ａの回転量が少なくてすむため、レバー部材３２の回動位置がずれにくくなる。一方、レバー部材３２を解除する際の固定部材３４Ａの回転方向は上記方向と逆方向、すなわち初期回動位置側への回動方向となるため、遊技者が遊技を開始する際、初期回動位置側へ固定部材３４Ａ及びレバー部材３２を回動しようとすれば、たとえ前の遊技者によってレバー部材３２が固定されていたままだったとしても、固定部材３４Ａが固定解除方向へ回転されることになり、レバー部材３２をスムーズに初期回動位置へ復帰させることができる。
さらにまた、実施例に記載のハンドル９同様、摩擦力がかかった状態のままレバー部材３２を回動させるわけではないため、レバー部材３２や固定部材３４Ａの摩耗や損傷を防止することができる。
加えて、固定部材３４Ａにも突起４３を設けているため、当該突起４３に親指等を押し当てる等により、レバー部材３２を把持している側の手のみで固定部材３４Ａを容易に回転操作することができる。したがって、遊技者は、レバー部材３２の固定／解除に係る作業を非常に容易に行うことができる。
【００３７】
＜変更例２＞
図１０は、第２変更例となるハンドル９Ｂの外観を示した斜視説明図であり、図１１は、ハンドル９Ｂの軸方向への断面の一部を示した説明図である。
ハンドル９Ｂも、実施例に記載のハンドル９同様に、前後方向へ長い筒状に形成された本体３１、本体３１の前方に取り付けられ、本体３１に対して回動操作可能とされたレバー部材３２、レバー部材３２の前方に取り付けられる外カバー部材３３、及びレバー部材３２を所定の回動位置で維持するための固定部材３４Ｂを備えてなるもので、ハンドル９とは固定部材３４Ｂの設置位置が異なっている。尚、本体３１の内部には、実施例同様、レバー部材３２の回動量を検知するためのボリューム部材３５が設置されている。また、本体３１の前端の開口は、内カバー部材３８によって被覆されており、当該内カバー３８の前方にレバー部材３２が取り付けられている。
【００３８】
レバー部材３２は、略中心に設けられた軸部４５と、軸部４５の周囲に外方へ拡がるように延設されたフランジ部４６と、フランジ部４６の外周縁に垂設された把持部４７とを一体的に形成してなる。軸部４５は、中心軸に沿って前後へ突出して設けられており、後方へ突出する側は、実施例同様、内カバー３８に形成された軸孔に挿通され、連結部材４４を介してボリューム部材３５に連結されている。一方、軸部４５の前方へ突出する側には、前方に開口する凹部が設けられており、当該凹部内に、後述する固定部材３４Ｂを支持するべく外カバー部材３３に設けられた支持部６３が嵌入可能となっている。
【００３９】
さらに、レバー部材３２の前方には、傘状の基部５０と、基部５０に固着されたドーム状の装飾部５１とからなる外カバー部材３３が取り付けられている。外カバー部材３３の略中央には、基部５０と装飾部５１とにわたる貫通孔である軸受部５２が形成されている。当該軸受部５２は、その前方側が小径部、後方側が大径部とされており、その境界に形成された段部は、後述する固定部材３４Ｂの抜け方向への移動を規制する規制段部６５として機能するようになっている。また、基部５０の軸受部５２内には、外周面にネジ部３６を備え、軸受部５２よりも一回り小さな径とされた筒状の支持部６３が設けられており、当該支持部６３に固定部材３４Ｂが取り付けられている。そして、外カバー部材３３は、支持部６３を軸部４５の凹部内へ嵌入させた状態で、基部５０に一体成形された固着突起５３により内カバー３８へ固着されている。
【００４０】
一方、固定部材３４Ｂは、上述したように支持部６３のネジ部３６に外装されるキャップ状部材であって、時計回り／反時計回りに回転させることで、レバー部材３２に対して前後方向へ進退するようになっている。また、固定部材３４Ｂの後端縁には、外方へ突出する鍔部６４が設けられており、固定部材３４Ｂを固定解除方向へ操作した際、鍔部６４が外カバー部材３３の規制段部６５に当接し、固定部材３４Ｂが抜け止めされるようになっている。さらに、固定部材３４Ｂの前面には、複数の凹部６６、６６・・が設けられており、当該凹部６６、６６・・内に指先を入れることにより、固定部材３４Ｂを容易に回転操作できるようにしている。そして、固定部材３４Ｂを回転操作して、鍔部６４の後面をレバー部材３２の軸部４５の前端面に押圧させることで、固定部材３４Ｂとレバー部材３２との間に摩擦を生じさせ、レバー部材３２を固定するようになっている。尚、固定部材３４Ｂは、通常、レバー部材３２を押圧して固定しない前進位置（解除位置）にある。
【００４１】
ここで、以上のように構成されるハンドル９Ｂの操作について説明する。
遊技者は、パチンコ機１で遊技するにあたり、レバー部材３２を回動操作して遊技球の打ち出しを開始するとともに、遊技球の遊技領域２ａ内への打ち出し位置が所望の位置となるように、レバー部材３２の回動量を調整して、遊技球の打ち出し強度を調整する。そして、遊技球が所望の位置へ打ち出されるようになると、図１２に示す如く、固定部材３４Ｂの鍔部６４の後面がレバー部材３２の軸部４５の前端面を押圧するまで、固定部材３４Ｂを回転させて後退させる。すると、固定部材３４Ｂの後面とレバー部材３２の前面との間に生じる摩擦により、戻りバネ１７の付勢力に抗してレバー部材３２が当該回動位置にて固定される。したがって、実施例に記載のハンドル９同様、たとえレバー部材３２から手を離したとしても初期回動位置へ自動復帰したりせず、再びレバー部材３２を把持するだけで、遊技球の打ち出し強度を維持したまま、遊技を再開することができる。
また、再びレバー部材３２の回動位置を微調整したい場合や、遊技の終了に伴いレバー部材３２を初期回動位置へ復帰させたい場合には、固定部材３４Ｂを逆方向へ回転させて鍔部６４が外カバー部材３３の規制段部６５に当接するまで前進させればよい。すると、固定部材３４Ｂによる固定が解除となり、レバー部材３２を自由に回動させることが可能となり、レバー部材３２の再調整が可能となるし、レバー部材３２から手を離せば戻りバネ１７の付勢力によって初期回動位置へ自動復帰させることができる。
【００４２】
以上のようなハンドル９Ｂを有するパチンコ機１においても、レバー部材３２を所望の回動位置にて維持するための固定部材３４Ｂを回転操作可能に設けているため、遊技球が所望の位置へ打ち出されるようにレバー部材３２の回動量を調整した後、固定部材３４Ｂを回転操作すれば、当該回動位置にてレバー部材３２を維持することができる。したがって、遊技の再開時に無駄球を減らすことができ、遊技者に不快感を抱かせることがない。
また、レバー部材３２の前面を押圧するように固定部材３４Ｂを回転操作するだけで、レバー部材３２を固定することができる一方、固定部材３４Ｂがレバー部材３２から離れるまで逆方向へ回転操作すれば、レバー部材３２をフリーとすることができる。したがって、レバー部材３２の固定／解除に係る操作が簡易であるし、ハンドル９Ｂ内部に複雑な機構等を設ける必要がなく、レバー部材３２の固定／解除に係る構造も簡易な構造とすることができる。
【００４３】
さらに、実施例に記載のハンドル９同様、摩擦力がかかった状態のままレバー部材３２を回動させるわけではないため、レバー部材３２や固定部材３４Ｂの摩耗や損傷を防止することができる。
加えて、固定部材３４Ｂには、その前面に凹部６６、６６・・を設けているため、当該凹部６６、６６・・内に指先を入れる等することにより、固定部材３４Ｂを容易に回転操作することができる。したがって、遊技者は、レバー部材３２の固定／解除に係る作業を非常に容易に行うことができる。
【００４４】
＜変更例３＞
図１３は、第３変更例となるハンドル９Ｃの外観を示した斜視説明図であり、図１４は、ハンドル９Ｃを前方から示した説明図である。また、図１５は、外カバー部材３３を取り外した状態を示した斜視説明図である。さらに、図１６は、図１４におけるＡ−Ａ線での断面の一部を示した説明図であり、図１７は、図１４におけるＢ−Ｂ線での断面の一部を示した説明図である。
ハンドル９Ｃも、実施例に記載のハンドル９同様に、前後方向へ長い筒状に形成された本体３１、本体３１の前方に取り付けられ、本体３１に対して回動操作可能とされたレバー部材３２、レバー部材３２の前方に取り付けられる外カバー部材３３、及びレバー部材３２を所定の回動位置で維持するための固定部材３４Ｃを備えてなるもので、ハンドル９とは固定部材３４Ｃによるレバー部材３２の固定に係る構成が異なっている。尚、本体３１の内部には、実施例同様、レバー部材３２の回動量を検知するためのボリューム部材３５が設置されている。また、本体３１の前端の開口は、内カバー部材３８によって被覆されており、当該内カバー３８の前方にレバー部材３２が取り付けられている。
【００４５】
レバー部材３２は、略中心に設けられた軸部４５と、軸部４５の周囲に外方へ拡がるように延設されたフランジ部４６と、フランジ部４６の外周縁に垂設された把持部４７とを一体的に形成してなる。軸部４５は、中心軸に沿って前後へ夫々突出して設けられており、後方へ突出する側は、内カバー部材３８に設けられた軸孔３９に挿通され、連結部材４４を介してボリューム部材３５に連結されている。一方、軸部４５の前方へ突出する側は、外カバー部材３３の軸受部５２内へ嵌入されることになり、レバー部材３２を滑らかに回動させるための樹脂製リング部材４８が外装される。また、フランジ部４６には、実施例同様にスリット４９が円弧状に形成されており、外カバー部材３３の固着突起（図示せず）が挿通可能となっている。
【００４６】
さらに、レバー部材３２の前方には、板状の基部５０と、基部５０に固着されたドーム状の装飾部５１とからなる外カバー部材３３が取り付けられている。基部５０の略中央には、樹脂製リング部材４８が外装された軸部４５を嵌装可能な軸受部５２が設けられている。また、軸受部５２よりも稍外方には、実施例同様に固着突起が後方へ突設されており、外カバー部材３３は、内カバー部材３８に固着されることになる。さらに、外カバー部材３３の後面には、後述する固定部材３４Ｃを機能させるための固定リング７０が固着されている。固定リング７０は、リング状に形成された本体と、所定の間隔毎に本体から外方へ突設されたテーパ片７０ａ、７０ａ・・と、本体から内方へ突設された固定片７０ｂ、７０ｂ・・とからなる。そして、各テーパ片７０ａの後面には、レバー部材３２の回動方向（遊技球の打ち出し強度が強くなる方向）へ向かって徐々に肉厚となるテーパ面７０ｄが形成されている。また、各固定片７０ｂには、固定リング７０を外カバー部材３３の後面に固着するための固着孔７０ｃが設けられている。
【００４７】
そして、ハンドル９Ｃでは、レバー部材３２と外カバー部材３３との間で固定リング７０の外側に固定部材３４Ｃが取り付けられている。固定部材３４Ｃは、固定リング７０よりも一回り大径なリング状部材であって、リング状の本体と、本体から内方へ突設された固定突起７１とからなる。固定突起７１は、レバー部材３２の回転方向での先端上面が面取りされており、固定部材３４Ｃをレバー部材３２の遊技球の打ち出し強度が強くなる側への回動方向と同方向へ回転操作した際、上記テーパ片７０ａの後方へ潜り込みやすくされている。当該固定部材３４Ｃは、固定突起７１がテーパ片７０ａ、７０ａ間に位置するようにレバー部材３２の前面に配置されており、レバー部材３２や外カバー部材３３に対して回転可能とされている。そして、固定部材３４Ｃを回転させ、固定突起７１をテーパ面７０ｄに沿ってテーパ片７０ａの後方へ潜り込ませることで、固定部材３４Ｃの後面がレバー部材３２の前面を押圧して摩擦が生じ、レバー部材３２が固定されることになる。尚、固定部材３４Ｃは、通常、レバー部材３２を押圧して固定しない解除位置、すなわち固定突起７１がテーパ片７０ａの後方へ潜り込んでいない位置にある。
【００４８】
ここで、以上のように構成されるハンドル９Ｃの操作について説明する。
遊技者は、パチンコ機１で遊技するにあたり、レバー部材３２を回動操作して遊技球の打ち出しを開始するとともに、遊技球の遊技領域２ａ内への打ち出し位置が所望の位置となるように、レバー部材３２の回動量を調整して、遊技球の打ち出し強度を調整する。そして、遊技球が所望の位置へ打ち出されるようになると、図１８に示す如く、固定部材３４Ｃをレバー部材３２の遊技球の打ち出し強度が強くなる側への回動方向と同じ方向へ回転操作し、固定突起７１をテーパ面７０ｄに沿ってテーパ片７０ａの後方へ潜り込ませる。この固定部材３４Ｃの操作に係り、打ち出し当初にレバー部材３２を回動する際、固定部材３４Ｃも同時に回転させれば、打ち出し強度を強くしながらレバー部材３２を徐々に固定することができる。したがって、最終的にレバー部材３２を固定する際における固定部材３４Ｃの回転量が少なくてすむため、レバー部材３２の回動位置がずれにくくなる。このようにして固定部材３４Ｃを回転操作すると、固定部材３４Ｃの後面がレバー部材３２の前面を押圧し、この押圧によって固定部材３４Ｃとレバー部材３２との間に生じる摩擦により、戻りバネ１７の付勢力に抗してレバー部材３２が当該回動位置にて固定される。そのため、実施例に記載のハンドル９同様、たとえレバー部材３２から手を離したとしても初期回動位置へ自動復帰したりせず、再びレバー部材３２を把持するだけで、遊技球の打ち出し強度を維持したまま、遊技を再開することができる。
【００４９】
また、再びレバー部材３２の回動位置を微調整したい場合や、遊技の終了に伴いレバー部材３２を初期回動位置へ復帰させたい場合には、レバー部材３２を遊技球の打ち出し強度が弱くなる方向へ若干回動させる。すると、固定部材３４Ｃに対して、固定突起７１がテーパ面７０ｄに案内されてテーパ片７０ａの後方から押し出される方向へと負荷がかかるため、固定部材３４Ｃは上記固定操作方向と反対方向へ自動的に回転し、固定部材３４Ｃによる固定が解除となる。したがって、レバー部材３２を自由に回動させることが可能となり、レバー部材３２の再調整が可能となるし、レバー部材３２から手を離せば戻りバネ１７の付勢力によって初期回動位置へ自動復帰させることができる。尚、遊技者が遊技を開始する際、初期回動位置側へレバー部材３２を回動しようとすれば、たとえ前の遊技者によってレバー部材３２が固定されていたままだったとしても、固定部材３４が上述したように自動的に固定解除方向へ回転することになり、レバー部材３２をスムーズに初期回動位置へ復帰させることができる。
【００５０】
以上のようなハンドル９Ｃを有するパチンコ機１においても、レバー部材３２を所望の回動位置にて維持するための固定部材３４Ｃを回転操作可能に設けているため、遊技球が所望の位置へ打ち出されるようにレバー部材３２の回動量を調整した後、固定部材３４Ｃを回転操作すれば、当該回動位置にてレバー部材３２を維持することができる。したがって、遊技の再開時に無駄球を減らすことができ、遊技者に不快感を抱かせることがない。
また、固定部材３４Ｃを、レバー部材３２の遊技球の打ち出し強度が強くなる側への回動方向と同じ方向へ回転操作し、固定突起７１をテーパ片７０ａの後方へ潜り込ませることで、レバー部材３２を固定することができるため、打ち出し当初にレバー部材３２を回動する際、固定部材３４Ｃも同時に回転させれば、打ち出し強度を強くしながらレバー部材３２を徐々に固定することができる。一方、レバー部材３２を打ち出し強度が弱くなる方向へ回動操作すれば、固定部材３４Ｃに対して、固定突起７１がテーパ面７０ｄに案内されてテーパ片７０ａの後方から押し出される方向へと負荷がかかり、固定部材３４Ｃは上記固定操作方向と反対方向へ自動的に回転して、固定部材３４Ｃによる固定を解除することができる。したがって、レバー部材３２の固定／解除に係る操作が簡易であるし、ハンドル９Ｃ内部に複雑な機構等を設ける必要がなく、レバー部材３２の固定／解除に係る構造も簡易な構造とすることができる。
【００５１】
＜変更例４＞
図１９は、第４変更例となるハンドル９Ｄの外観を示した斜視説明図であり、図２０は、ハンドル９Ｄの軸方向への断面の一部を示した説明図である。
ハンドル９Ｄも、実施例に記載のハンドル９同様に、前後方向へ長い筒状に形成された本体３１、本体３１の前方に取り付けられ、本体３１に対して回動操作可能とされたレバー部材３２、レバー部材３２の前方に取り付けられる外カバー部材３３、及びレバー部材３２を所定の回動位置で維持するための固定部材３４Ｄを備えてなるもので、ハンドル９とは固定部材３４Ｄによるレバー部材３２の固定に係る構成が異なっている。尚、本体３１の内部には、実施例同様、レバー部材３２の回動量を検知するためのボリューム部材３５が設置されている。また、本体３１の前端の開口は、内カバー部材３８によって被覆されており、当該内カバー３８の前方にレバー部材３２が取り付けられている。
【００５２】
レバー部材３２は、略中心に設けられた軸部４５と、軸部４５の周囲に外方へ拡がるように延設されたフランジ部４６と、フランジ部４６の外周縁に垂設された把持部４７とを一体的に形成してなる。軸部４５は、中心軸に沿って前後へ夫々突出して設けられており、後方へ突出する側は、内カバー部材３８に設けられた軸孔３９に挿通され、連結部材４４を介してボリューム部材３５に連結されている。一方、軸部４５の前方へ突出する側は、外カバー部材３３の軸受部５２内へ嵌入されることになり、レバー部材３２を滑らかに回動させるための樹脂製リング部材４８が外装される。また、フランジ部４６には、実施例同様にスリット４９が円弧状に形成されており、外カバー部材３３の固着突起（図示せず）が挿通可能となっている。
【００５３】
さらに、レバー部材３２の前方には、板状の基部５０と、基部５０に固着されたドーム状の装飾部５１とからなる外カバー部材３３が取り付けられている。基部５０の略中央には、樹脂製リング部材４８が外装された軸部４５を嵌装可能な軸受部５２が設けられている。また、軸受部５２よりも稍外方には、実施例同様に固着突起が後方へ突設されており、外カバー部材３３は、内カバー部材３８に固着されることになる。
【００５４】
そして、ハンドル９Ｄでは、レバー部材３２と外カバー部材３３との隙間に固定部材３４Ｄが設置されている。固定部材３４Ｄは、リング状の板部としての本体と、本体の前面外周縁において前方及び外方へ突設された複数の固定凸部（固定部）７５、７５・・とからなり、合成樹脂により成形されている。リング状の本体は、レバー部材３２と外カバー部材３３との隙間よりも若干薄く、固定凸部７５、７５・・は、レバー部材３２と外カバー部材３３との隙間よりも若干厚く形成されている。当該固定部材３４Ｄは、通常、本体の固定凸部７５、７５・・よりも内側部分がレバー部材３２と外カバー部材３３との隙間に位置するようにレバー部材３２の前面に設置されている（図２０に示す）。そして、何れかの固定凸部７５をレバー部材３２と外カバー部材３３との隙間に強引に押し込むように固定部材３４Ｄを径方向へ移動させる（図２１に示す）ことで、固定部材３４Ｄの後面がレバー部材３２の前面を押圧して摩擦が生じ、レバー部材３２が固定されるようにしている。尚、固定部材３４Ｄは、通常、レバー部材３２を押圧して固定しない位置、すなわち全ての固定凸部７５がレバー部材３２と外カバー部材３３との隙間外となる位置にある。
【００５５】
ここで、以上のように構成されるハンドル９Ｄの操作について説明する。
遊技者は、パチンコ機１で遊技するにあたり、レバー部材３２を回動操作して遊技球の打ち出しを開始するとともに、遊技球の遊技領域２ａ内への打ち出し位置が所望の位置となるように、レバー部材３２の回動量を調整して、遊技球の打ち出し強度を調整する。そして、遊技球が所望の位置へ打ち出されるようになると、図２１に示す如く、固定部材３４Ｄの何れかの固定凸部７５をレバー部材３２と外カバー部材３３との隙間へ押し込む。すると、固定部材３４Ｄの後面がレバー部材３２の前面を押圧して摩擦が生じ、レバー部材３２は、戻りバネ１７の付勢力に抗して当該回動位置に固定される。そのため、実施例に記載のハンドル９同様、たとえレバー部材３２から手を離したとしても初期回動位置へ自動復帰したりせず、再びレバー部材３２を把持するだけで、遊技球の打ち出し強度を維持したまま、遊技を再開することができる。尚、固定部材３４Ｄは、固定凸部７５が外方へ突出して設けられているため、固定凸部７５に親指等を押し当てることで、レバー部材３２を把持している側の手のみで容易に押し込み操作することができる。
【００５６】
また、再びレバー部材３２の回動位置を微調整したい場合や、遊技の終了に伴いレバー部材３２を初期回動位置へ復帰させたい場合には、レバー部材３２を固定部材３４Ｄによる固定に抗して回動操作する。すると、固定部材３４Ｄの固定凸部７５に回転方向への負荷がかかるものの、当該負荷は回転方向よりも逃げやすい径方向へと働き、結果として固定部材３４Ｄの固定凸部７５がレバー部材３２と外カバー部材３３との隙間から押し出されて、固定部材３４Ｄによる固定が解除となる。したがって、レバー部材３２を自由に回動させることが可能となり、レバー部材３２の再調整が可能となるし、レバー部材３２から手を離せば戻りバネ１７の付勢力によって初期回動位置へ自動復帰させることができる。
【００５７】
以上のようなハンドル９Ｄを有するパチンコ機１においては、レバー部材３２を所望の回動位置にて維持するための固定部材３４Ｄを設けているため、遊技球が所望の位置へ打ち出されるようにレバー部材３２の回動量を調整した後、固定部材３４Ｄを操作すれば、当該回動位置にてレバー部材３２を維持することができる。したがって、遊技の再開時に無駄球を減らすことができ、遊技者に不快感を抱かせることがない。
また、固定部材３４Ｄの固定凸部７５をレバー部材３２と外カバー部材３３との隙間へ押し込むだけでレバー部材３２を固定することができる一方、レバー部材３２を回動操作すれば、固定部材３４Ｄに対して、固定凸部７５がレバー部材３２と外カバー部材３８との隙間から押し出される方向へと負荷がかかり、固定部材３４Ｄは自動的に押し出されて、固定部材３４Ｄによる固定を解除することができる。したがって、レバー部材３２の固定／解除に係る操作が簡易であるし、ハンドル９Ｃ内部に複雑な機構等を設ける必要がなく、レバー部材３２の固定／解除に係る構造も簡易な構造とすることができる。
【００５８】
さらに、固定部材３４Ｄには、固定凸部７５が複数設けられており、どの固定凸部７５を押し込んでもレバー部材３２を固定することができるため、レバー部材３２の固定を容易に行うことができる。
加えて、固定部材３４Ｄの固定凸部７５、７５・・は外方へ突出するように設けられているため、当該固定凸部７５に親指等を押し当てる等により、レバー部材３２を把持している側の手のみで固定部材３４Ｄを容易に押し込み操作することができる。したがって、遊技者は、レバー部材３２の固定を非常に容易に行うことができる。
【００５９】
なお、本発明のハンドル及びパチンコ機に係る構成は、上記実施形態に記載の態様に何ら限定されるものではなく、ハンドル本体やレバー部材、外カバー部材、固定部材の形状や構成、パチンコ機の構成について、本発明の趣旨を逸脱しない範囲で必要に応じて適宜変更可能である。
【００６０】
たとえば、実施例や第１〜第３変更例として記載した固定部材を回転操作可能に設置したものについて、固定部材に設ける突起の有無、数や位置等は当然設計変更可能であるし、突起でなく凹部としてもよい。
また、第１変更例として記載したハンドルでは、ネジ部を有する支持壁を外カバー部材の後面に設けているが、当該支持壁をレバー部材の前面に設け、固定部材の前面を外カバー部材の後面に押圧させることでレバー部材を固定するように構成してもよい。この場合、固定部材を前進させると固定、後退させると解除となる。
さらに、第４変更例については、本体の外周縁に複数の固定凸部を設ける構成としているが、固定凸部を設ける代わりに、本体の外周部を内周部と比較して一段分厚く形成し、その外周部をレバー部材と外カバー部材との隙間へ押し込む構成とすることも可能である。また、固定凸部や上述したような外周部（すなわち、押し込まれる部分）の前面を内方へ向かって薄肉となるようなテーパ面に形成してもよい。当該構成を採用することで、押し込み操作が容易となるし、固定部材による固定を解除する際にも、スムーズに固定部材が押し出されることになり、使い勝手が良い。
【符号の説明】
【００６１】
１・・パチンコ機、９、９Ａ、９Ｂ、９Ｃ、９Ｄ・・ハンドル、１７・・戻りバネ、３１・・本体、３２・・レバー部材、３３・・外カバー部材、３４、３４Ａ、３４Ｂ、３４Ｃ、３４Ｄ・・固定部材、３８・・内カバー部材。
【図１】
0005544480.tif 000002
【図２】
0005544480.tif 000003
【図３】
0005544480.tif 000004
【図４】
0005544480.tif 000005
【図５】
0005544480.tif 000006
【図６】
0005544480.tif 000007
【図７】
0005544480.tif 000008
【図８】
0005544480.tif 000009
【図９】
0005544480.tif 000010
【図１０】
0005544480.tif 000011
【図１１】
0005544480.tif 000012
【図１２】
0005544480.tif 000013
【図１３】
0005544480.tif 000014
【図１４】
0005544480.tif 000015
【図１５】
0005544480.tif 000016
【図１６】
0005544480.tif 000017
【図１７】
0005544480.tif 000018
【図１８】
0005544480.tif 000019
【図１９】
0005544480.tif 000020
【図２０】
0005544480.tif 000021
【図２１】
0005544480.tif 000022